(57)【特許請求の範囲】
【請求項１】
ケーシングチューブ内を掘削する掘削機器を備えた掘削装置であって、
前記掘削機器は、
前記ケーシングチューブに対する位置を固定する固定手段を有する支持フレームと、
前記支持フレームに設置されたドリル駆動部を用いて伸縮ロッドを介して回転駆動されるドリル工具と、
を備え、
前記ケーシングチューブの上端部に取り付けられる排出ステーションが設けられ、その排出ステーションに、前記掘削機器の前記支持フレームを前記固定手段により固定でき、
前記ドリル工具から掘りくずを出して空にするために、前記排出ステーションは、掘りくずを受け取るよう調節可能な荷下ろし手段を備え、
前記荷下ろし手段は、前記排出ステーションから掘りくずを送出するよう設計されている、掘削装置。
【請求項２】
前記ドリル工具が、ドリリングバケットとして設計され、ドリリングバケットを空にするためにヒンジで開くことができる底部を有する、請求項１に記載の掘削装置。
【請求項３】
前記荷下ろし手段が作動部材を備え、それによって、前記荷下ろし手段の荷下ろし位置への調節または荷下ろし位置からの調節の際に、前記ドリリングバケットの前記底部を開閉できる、請求項１に記載の掘削装置。
【請求項４】
前記荷下ろし手段が、旋回軸の周りを旋回可能であってそれにより斜め状態に配置されるシュートを備える、請求項１に記載の掘削装置。
【請求項５】
請求項４に記載の掘削装置であって、
前記シュートが、前記旋回軸の周りを旋回可能であってそれにより引込み位置と荷下ろし位置との間で旋回され、
前記シュートが、前記荷下ろし位置にて前記斜め状態にあり、その状態で前記排出ステーションから掘りくずを送出可能である、掘削装置。
【請求項６】
前記荷下ろし手段が運搬キャリッジを備え、その運搬キャリッジが、荷下ろし位置と、掘りくずを前記排出ステーションから送出する送出位置との間の通路に沿って移動可能である、請求項１に記載の掘削装置。
【請求項７】
前記排出ステーションが、前記ケーシングチューブに固定する結合手段と、前記結合手段に対して調整手段を用いて調整可能なプラットフォームとを備える、請求項１に記載の掘削装置。
【請求項８】
ケーシングチューブ内にボーリング孔を形成する掘削方法であって、請求項１に記載の掘削装置を用いて実施し、掘削機器の支持フレームの位置を前記ケーシングチューブに対して固定し、前記支持フレームに設置されたドリル駆動部を用いて伸縮ロッドを介してドリル工具を回転駆動することによって、前記ケーシングチューブ内で土壌物質が掘りくずとして除去されて前記ドリル工具に収容される掘削方法において、
前記掘削機器の前記支持フレームを、前記ケーシングチューブの上端部に設置された排出ステーションに固定することと、
前記ドリル工具から掘りくずを排出するために、前記ドリル工具を前記ケーシングチューブから取り出して前記排出ステーション内へ移動することと、
前記排出ステーションに設けられた荷下ろし手段を、前記ドリル工具から掘りくずを受け取る荷下ろし位置に調節することと、
前記荷下ろし手段によって掘りくずを排出ステーションから送出することと、
を含む、方法。
【請求項９】
ヒンジ付きの底部を有するドリリングバケットとして設計された前記ドリル工具を、前記排出ステーション内へ移動してストッパに押し当てることによって、前記ドリリングバケットの前記底部を排出のために開くことを含む、請求項８に記載の掘削方法。
【請求項１０】
前記荷下ろし手段が、旋回軸の周りを旋回可能であってそれにより前記荷下ろし位置にて斜め状態に配置されるシュートを備え、斜めの前記シュートを通じて掘りくずを排出ステーションから送出することを含む、請求項８に記載の掘削方法。
【請求項１１】
前記荷下ろし手段が、前記荷下ろし位置と送出位置との間の通路に沿って移動する運搬キャリッジを備え、
前記荷下ろし位置にて、掘りくずを前記ドリル工具から前記運搬キャリッジへ排出することと、
前記送出位置にて、前記運搬キャリッジによって、掘りくずを前記排出ステーションから送出することと、
を含む、請求項８に記載の掘削方法。
【請求項１２】
前記荷下ろし手段の前記荷下ろし位置への調節および前記荷下ろし位置からの調節の際に、ドリル工具として使用されるドリリングバケットの底部を開閉することを含む、請求項８に記載の掘削方法。
【請求項１３】
結合手段を用いて前記排出ステーションを前記ケーシングチューブに固定し、調整手段を用いて前記排出ステーションのプラットフォームを前記結合手段に対して調整することを含む、請求項８に記載の掘削方法。
【請求項１４】
前記ケーシングチューブを土壌中に導入することと、
前記排出ステーションを着脱可能な状態で前記ケーシングチューブに固定することと、
さらに、前記ケーシングチューブ内に形成されたボーリング孔をコンクリートで充填してドリル杭を形成することと、
を含む、請求項８に記載の掘削方法。
【請求項１５】
請求項１に記載の掘削装置または請求項８に記載の掘削方法のための排出ステーションであって、
ケーシングチューブに固定する結合手段と、
ドリル工具を備えた掘削機器を受け入れて保持する受け部と、
前記ドリル工具を空にするよう前記ドリル工具から掘りくずを受け取り、前記排出ステーションから掘りくずを送出するよう設計されている荷下ろし手段と、
を備える排出ステーション。
【発明の詳細な説明】
【技術分野】
【０００１】
本発明は、ケーシングチューブ内を掘削する掘削機器を備えた掘削装置に関する。その掘削機器は、ケーシングチューブに対して固定する固定手段を有する支持フレームと、支持フレームに設置されたドリル駆動部を用いて伸縮ロッドを介して回転駆動されるドリル工具と、を備える。
【０００２】
本発明はさらに、ケーシングチューブ内にボーリング孔を形成する掘削方法に関する。その掘削方法では、掘削機器の支持フレームをケーシングチューブに対して固定し、支持フレームに設置されたドリル駆動部を用いて伸縮ロッドを介してドリル工具を回転駆動する。それにより、ケーシングチューブ内で、土壌物質が掘りくずとして掘り出されてドリル工具に収容される。
【背景技術】
【０００３】
このようなタイプの掘削装置および掘削方法は、特許文献１に記載されている。軟質の地中にドリル杭を形成するには、まず、既知の導入装置を用いてケーシングチューブを押し入れるかねじ込む。続いて、ケーシングチューブ内の土壌物質を除去するために、支持フレームを備えた掘削機器を、クレーン手段を介して用いる。その際に、支持フレームをケーシングチューブの上端部にクランプ固定する。ドリル工具としては、ドリリングバケットを、クレーン手段を用いて伸縮式のケリーロッドを介して降下させて使用する。クランプ固定された支持フレームに設置されたドリル駆動部を用いて、ケリーロッドを介して、掘削機器のドリル工具を回転駆動する。
【０００４】
掘り出された土壌物質でドリリングバケットの収容スペースが満たされた時点ですぐに、ドリル工具をクレーン手段で再度引き上げる。その後、支持フレームをケーシングチューブから取り外し、掘削機器全体をケーシングチューブに対して側方に宙づりで移動させる。その位置にて、ドリリングバケットを空にする。
【０００５】
掘削工程を続けるには、掘削機器を再度ケーシングチューブに配置し、そこに支持フレームをクランプ固定し、掘削機器をもう一度降下させる。
【０００６】
掘削工程の完了時には、クレーン手段を用いて掘削機器全体を撤去する。ケーシングチューブ内に形成された空洞には、たとえば、スチール製の補強ケージやコンクリートを挿入して、基礎杭を形成することができる。
【０００７】
この掘削方法では、掘削完了時に掘削機器をクレーン手段で別のケーシングチューブへ移動可能であり、次の掘削工程を直後に開始できるため、全体としてとても経済的である。クレーン手段で吊り下げたケーブルによって掘削機器を素早く効率的に移動可能であることにより、いわゆる「空飛ぶ掘削機器」が実現されている。
【０００８】
しかし、たとえば視界不良や強風などで気象条件が良くない場合は、掘削機器のケーシングチューブへの配置および支持フレームのクランプ固定には、クレーン手段の操作者に豊富な経験および高い技術が求められる。クレーンのケーブルに吊り下げられた掘削機器の揺れによって、作業工程に遅れが生じる場合がある。
【先行技術文献】
【特許文献】
【０００９】
【特許文献１】欧州特許第１１５４０７８  Ｂ１号明細書
【発明の概要】
【発明が解決しようとする課題】
【００１０】
本発明は、悪い気象条件下でもケーシングチューブ内にボーリング孔を効率的に形成できる掘削装置および掘削方法を提供するという課題に基づいて成されたものである。
【課題を解決するための手段】
【００１１】
本発明によれば、本願請求項１に記載の特徴を有する掘削装置および本願請求項８に記載の特徴を有する掘削方法のそれぞれによって、上記課題が解決される。本発明の好適な実施形態は、各従属項に記載するとおりである。
【００１２】
本発明による掘削装置は、ケーシングチューブの上端部に取り付けられる排出ステーションを備え、その排出ステーションに掘削機器の支持フレームを固定できる。ドリル工具から掘りくずを出して空にするために、排出ステーションに荷下ろし手段が設けられ、その荷下ろし手段が、掘りくずを受け取るよう調節可能であって掘りくずを排出ステーションから送出するよう設計されていることを特徴とする。
【００１３】
本発明の基本的な概念は、ボーリング孔の形成中に、ドリル工具を空にする目的や計測作業または保守作業を実施する目的などで掘削機器をケーシングチューブから取り外すことを不要にする点にある。そのために、掘削機器は、ケーシングチューブの上端部に取り付けられた排出ステーションに連結される。排出ステーションは、解除可能な固定機構を用いてケーシングチューブに連結することができる。掘削機器は、ケーシングチューブに対して軸方向に移動して、排出ステーション内の保持位置に至ることが可能である。その位置で、排出ステーション内に組み込まれた荷下ろし手段によってドリル工具を空にすることができ、その際に荷下ろし手段は、掘りくずを送出する位置へ移動される。
【００１４】
その結果、支持フレームの取り外しと新たな調節および固定との繰り返しが不要となり、作業工程は全体的に容易になる。それにより、気象の影響にあまり関係なく作業ができるようになる。したがって、本発明による掘削装置は、たとえば沖合の領域で海底に基礎杭を形成する際にも利用可能である。沿岸の強風があっても、水上の輸送手段に設置されたクレーン手段に揺れがあっても、作業工程にほとんど関係がない。
【００１５】
基本的には、掘削機器では、様々な種類のドリル工具を使用できる。本発明では、自身をねじ込むオーガなどを含む、断続的に動作するドリル工具が特に有利である。軟質の土壌中または水面下で実施される作業では、本発明によれば、ドリル工具がドリリングバケットとして設計されていて、それを空にするためにドリリングバケットの底部がヒンジで開くようになっていると有利である。
【００１６】
本発明による更なる展開としては、荷下ろし手段に作動部材を設け、それによって、荷下ろし手段の荷下ろし位置への調節および荷下ろし位置からの調節の際にドリリングバケットの底部を開閉する点がある。既知の手法に従い、第１の時点で、ヒンジ付き底部は切削手段を備えた開口部を有し、それによって、土壌物質を掘り出してその開口部を通じてドリリングバケットの円筒形収容スペース内に運び入れる。実施形態によっては、ドリリングバケット内の追加の運搬手段として、スクリュを設けることができる。収容スペースが満たされた時点で、底部のねじる動きを通じて開口部を閉鎖して、掘り出された土壌物質で満たされたドリリングバケットを、ケーシングチューブから引き出して排出ステーションに引き入れる。その後、荷下ろし手段を、排出のための位置に移動させ、その際に、ドリリングバケットの底部が作動部材によってヒンジで開き排出を実施できる。このことはたとえば、荷下ろし手段を調節することで、ドリリングバケットを移動させてストッパに押し当てた結果、ラッチ機構が作動してドリリングバケットの底部を開くことによって実現されうる。ドリリングバケットの掘りくずを荷下ろし手段が受け取った時点または送出した時点ですぐに、荷下ろし手段を荷下ろし位置から移動するよう調節することによって、ヒンジで開いていたドリリングバケットの底部を再度閉じることができる。荷下ろし手段はたとえば、作動部材として傾斜形位置決め要素を備えることが可能であり、それを変位させることによって、ヒンジで開いていた底部を元の閉位置に押し戻し、底部のロックを再度ラッチさせることができる。その後、ドリル工具を再度、伸縮ロッドでケーシングチューブ内へ降下させ、掘削作業を継続できる。
【００１７】
基本的には、排出ステーションには、様々なタイプの荷下ろし手段を組み込むことができる。荷下ろし手段はたとえば、調節可能なコンベヤベルトとして設計可能であり、除去された掘りくずをそれに乗せて搬出することができる。また、吸引手段を用いて掘りくずをドリル工具から吸い取ることも可能である。
【００１８】
ただし本発明では、荷下ろし手段が、旋回軸の周りを旋回可能であってそれにより斜め状態に配置されるシュートを備えることが特に好適である。シュートはたとえば、掘削軸の近傍にて排出ステーションの側方に取り付けられることが可能であり、ドリル工具の下方で斜め状態に配置されその状態で掘りくずを受け取ることができる。
【００１９】
本発明の別の好適な実施形態では、シュートが、旋回軸の周りを、引込み位置と荷下ろし位置との間で旋回可能であり、その荷下ろし位置にて、シュートは斜め状態にあり、排出ステーションから掘りくずを送出可能である。シュートはたとえば、ケーシングチューブの近傍の取付具に配置することができる。引込み位置では、シュートの表面が、ケーシングチューブとほぼ平行に支持されることが可能である。それにより、ドリル工具は掘削軸に沿って妨げられずに移動できる。掘削ステップ後にドリル工具をケーシングチューブから移動して排出ステーション内に入れた時点ですぐに、シュートを、ドリル工具の下方で斜め状態になる荷下ろし位置に調節できる。この調節工程はたとえば、シュートの下縁が回転ジョイントを介して排出ステーションに接続していて、この回転ジョイントを通じてシュートをドリル工具の下方で斜め状態になるまで旋回させることで実現できる。
【００２０】
本発明の別の好適な実施形態では、荷下ろし手段が運搬キャリッジを備える。運搬キャリッジは、荷下ろし位置と、掘りくずを排出ステーションから送出する送出位置との間の通路に沿って移動可能である。運搬キャリッジはたとえば、荷下ろし位置と送出位置との間のレールに沿ってローラで移動可能であり、その場合は、キャリッジの駆動は様々な方法で実現可能である。たとえば、キャリッジに専用のモータを設け、それによってキャリッジ自体を駆動できる。ただし、他のタイプの駆動も可能であり、キャリッジを巻き上げ機またはロープで引いたり、あるいは、短距離の場合は通路に沿って液圧シリンダで移動させることもできる。作動に必要なエネルギは、掘削機器から得ることも可能であり、あるいは、排出ステーションの独自のエネルギ源から供給を受けることもできる。運搬キャリッジは、積載スペースを備えるよう設計されており、キャリッジが荷下ろし位置に配置された状態で、ドリル工具からその積載スペースに掘りくずを受け取ることができる。積載スペースはたとえば、可傾式の桶の形状であることが可能であり、それにより、運搬キャリッジが送出位置に配置された時点ですぐに、傾けて排出ステーションから掘りくずを投棄できる。もしくは、運搬キャリッジの積載スペースにもヒンジ付き底部を設け、それを通じて、送出位置で掘りくずを下方に投棄することも可能である。投棄された物質は、排出ステーションに隣接配置された廃棄システムで収容できる。それはたとえば、コンテナ、トラック、コンベヤベルト、輸送船などである。
【００２１】
本発明によれば、排出ステーションが、ケーシングチューブに固定する結合手段と、結合手段に対して調整手段を用いて調整可能なプラットフォームとを備えることが好適である。クランプ爪などの適切な固定手段によって、結合手段はケーシングチューブに着脱可能に接続される。結合手段に取り付けられたプラットフォームは、調整手段によって、ケーシングチューブの開口部に対して様々な状態に調整可能である。その結果、プラットフォームをたとえば、ケーシングチューブに対して角度をつけて配置することができる。具体的には、垂直線に対して斜めに掘削する場合であっても、プラットフォームを水平位置に配置することが可能である。また、ケーシングチューブに対してプラットフォームを持ち上げる際にも同様にできる。このようなタイプの調整手段は、本発明において前述の特徴から独立した概念として認識することも可能であり、あるいは、前述の特徴の一部分として認識してケーシングチューブに配置される他の取付装置と共に使用することもできる。
【００２２】
本発明の掘削方法は、ケーシングチューブの上端部に配置された排出ステーションに掘削機器の支持フレームを固定し、ドリル工具から掘りくずを排出するためにドリル工具をケーシングチューブから取り出して排出ステーション内に移動し、排出ステーションに設けられた荷下ろし手段を、ドリル工具から掘りくずを受け取る荷下ろし位置に調節して、その荷下ろし手段によって掘りくずを排出ステーションから送出することを特徴とする。
【００２３】
前述のとおり、本発明による排出ステーションによって、作業工程の迅速化および簡素化が実現される。
【００２４】
本発明による好適な方法では、ヒンジ付き底部を有するドリリングバケットとして設計されたドリル工具を、排出ステーション内へ移動してストッパに押し当てることで、ドリリングバケットの底部が開いて中が空になる。ドリリングバケットは、回転によってラッチ機構が作動させることで、ドリリングバケットの底部を開いて中を空にすることも可能である。
【００２５】
本発明の他の好適な実施形態において、掘りくずを受け取る荷下ろし位置では、荷下ろし手段はドリル工具の下方に配置される。荷下ろし手段のこの荷下ろし位置によって、荷下ろし工程が主に重力によって実施されるため、ドリル工具を空にする際に追加の能動的システムが通常は必要でない点が有利である。
【００２６】
さらに本発明によれば、荷下ろし手段が、旋回軸の周りを旋回して荷下ろし位置にて斜め状態に配置されるシュートを備え、斜めのシュートを通じて掘りくずが排出ステーションから送出されることが有利になるうる。シュートは、様々な方法で荷下ろし位置に配置されることが可能である。たとえばシュートは、静止位置から展開または移動されて荷下ろし位置に配置されることもできるし、あるいは、ケーシングチューブの長手側面に平行な軸を中心に回転されて荷下ろし位置に配置されることもできる。掘りくずの送出は、シュートが水平面に対して斜め状態であることによって実現される。
【００２７】
本発明の特定の実施形態では、荷下ろし手段が、荷下ろし位置と送出位置との間の通路に沿って移動可能な運搬キャリッジを備える。荷下ろし位置では、掘りくずがドリル工具から運搬キャリッジ内へ排出され、送出位置では、運搬キャリッジによって掘りくずが排出ステーションから送出される。前述のタイプの駆動方式によって、運搬キャリッジは、荷下ろし位置と送出位置との間の通路に沿って移動する。運搬キャリッジの移動ならびに掘りくずの受入れおよび送出は、自動または手動で制御可能である。
【００２８】
さらに本発明によれば、荷下ろし手段の荷下ろし位置への調節および荷下ろし位置からの調節の際に、ドリル工具として使用されるドリリングバケットの底部を開閉する構成が設けられている。ドリリングバケットの底部のラッチ機構を作動することが可能であり、たとえば、シュートまたは運搬キャリッジの積載スペースをドリリングバケットの底部に沿って移動させた際に、それによってドリリングバケットの底部を開閉する。
【００２９】
本発明による他の好適な方法によれば、排出ステーションを結合手段によってケーシングチューブに固定し、調整手段を用いて排出ステーションのプラットフォームを結合手段に対して調整する。調整手段は、掘削方法にとって好都合な条件が達成されるように、ケーシングチューブに対するプラットフォームの位置を設定する機能を果たす。たとえば１つまたは複数の位置決めシリンダを用いることで、プラットフォームとケーシングチューブの横軸との間に異なる角度を設定することが可能である。同様に、プラットフォームを、水平面または垂直面に対して変位させることもできる。
【００３０】
さらに本発明によれば、ケーシングチューブを土壌中に導入する（特に、押し入れる）構成が設けられる。この目的のために、既知の押込み装置を用いることができる。また、排出ステーションをケーシングチューブに着脱可能に固定することと、その後にケーシングチューブ内に形成されたボーリング孔にコンクリートを充填してドリル杭を形成することとは、本発明に適合することである。
【００３１】
本発明のさらに別の態様は、排出ステーションであって、ケーシングチューブに固定する結合手段と、ドリル工具を備えた掘削機器を受け入れて保持する受け部と、ドリル工具を空にするようドリル工具から掘りくずを受け取る荷下ろし手段とを有し、荷下ろし手段が、排出ステーションから掘りくずを送出するよう設計されている。この排出ステーションは特に、前述の掘削装置および前述の掘削方法と共に使用でき、それによって、それらに関連して述べた利点を得ることができる。
【図面の簡単な説明】
【００３２】
【図１】本発明による第１の排出ステーションを示す概略側面図である。
【図２】本発明による掘削方法を図１に示す排出ステーションを用いて実施している状態を示す概略側面図である。
【図３】本発明による第２の排出ステーションを示す概略側面図である。
【図４】本発明による更なる掘削方法を図３に示す排出ステーションを用いて実施している状態を示す概略側面図である。
【図５】本発明による掘削機器を示す部分断面概略図である。
【発明を実施するための形態】
【００３３】
以下、図面に概略的に示す好適な実施形態を参照しながら、本発明をさらに説明する。
【００３４】
図１に示す本発明による第１の排出ステーション２０は、スチールの輪郭部を用いて構築されたプラットフォーム３０を備える。プラットフォーム３０の下側には、ケーシングチューブ５に着脱可能に固定するための結合手段３４が配置されている。結合手段３４は、下部に円錐形に広がる部分を有するスリーブ部材４０を備える。スリーブ部材４０の内径は、液圧クランプシリンダ４２によって縮小できる。それにより、スリーブ部材４０を、ケーシングチューブ５の外周に設置し、圧力ばめによってケーシングチューブ５に接続することができる。
【００３５】
スリーブ形部材４０は、ほぼ水平な軸の周りを旋回可能な状態に、旋回ジョイント４４を介してプラットフォーム３０に取り付けられている。その反対側には旋回シリンダ３２が設けられ調整手段３１を形成しており、それを用いることで、旋回ジョイント４４を介して、プラットフォーム３０を結合手段３４に対して角度をつけて配置することができる。
【００３６】
プラットフォーム３０の上側には、鉛直の支持部材によってフレーム２６が形成されており、その上側には、スリーブ形の受け部７０が配置されている。スリーブ形受け部７０は、排出ステーション２０を取り付けるケーシングチューブ５の直径とほぼ同じ直径を有する。スリーブ形受け部７０は、掘削機器を固定する役割を果たし、そのことは図５を参照して以下で説明する。
【００３７】
さらに本発明によれば、荷下ろし手段２５がプラットフォーム３０に設けられている。本実施形態では、荷下ろし手段はシュート３６を備える。そのシュート３６は、位置決めシリンダ３９によって、旋回軸３８を介して図示の引込み位置と荷下ろし位置との間を旋回可能である。
【００３８】
また、フレーム２６には、掘削機器を作動させるストッパ３７が配置されている。さらに、クレーン吊り下げ部１２が配置されることにより、排出ステーション２０は、クレーンによってケーシングチューブ５への移動およびケーシングチューブ５からの移動が可能になっている。
【００３９】
図２に、本発明による掘削方法の一例を、８つの作業ステップによって概略的に示す。最初に、サポートまたは掘削チューブとも呼ばれるケーシングチューブ５を、振動機、インパクト駆動システム、または押込み装置を用いて、既知の方法で軟質の土壌に押し込む。図示の実施形態では、ケーシングチューブ５は、垂直軸に対して斜めの角度にて水底に導入されている。水域での作業のためのポンツーン２上に設置されたクレーン１によって、図１に示す排出ステーション２０を、ケーシングチューブ５の上側まで搬送する（ステップ１）。作業ステップ２では、直径が拡張された状態の結合手段３４を載置する。クランプシリンダ４２を締めることによって、結合手段３４を、ケーシングチューブ５の上端部に圧力ばめで接続する。そうする際に、スリーブ部材４０がケーシングチューブ５の長手軸と同軸に配置されると同時に、排出ステーション２０のプラットフォーム３０が水平位置をとるように、調整手段３１を設定する。
【００４０】
続いてステップ３では、ドリル工具１４０としてドリリングバケットを備える掘削機器１００を、円筒形受け部７０内に入れる。掘削機器１００については、図５を参照しながら以下でさらに詳述する。
【００４１】
作業ステップ４では、掘削機器１００を、それ自体の支持フレーム１１０を通じて円筒形受け部７０の上端部にクランプ固定し、それによって以降は、結合手段３４を含む排出ステーション２０を通じて、ケーシングチューブ５に固定的に接続された状態が維持される。
【００４２】
続いてステップ５では、掘削機器１００が垂直位置から、掘削機器１００の軸がケーシングチューブ５の長手軸に対して整列する斜め位置に配置されるよう、調整手段３１を調整する。これらの作業ステップの間、荷下ろし手段２５は図示の引込み位置に配置されており、それにより掘削機器１００のドリル工具１４０は、土壌物質の除去のために、排出ステーション２０を自由に通過してケーシングチューブ５内部に至ることができる。
【００４３】
作業ステップ６では、すでに、ケーシングチューブ５の下端部における最も深い位置での最終掘削ステップが示されている。ドリリングバケットとして設計されたドリル工具１４０が、ケーシングチューブ５内で除去した土壌物質で満たされた時点ですぐに、伸縮式のケリーロッド７をクレーン１で収縮させることによって、作業ステップ７に示すように、ドリル工具１４０を排出ステーション２０内の所望の保持位置に配置する。その状態で、荷下ろし手段２５のシュート３６を、作業ステップ７に示す荷下ろし位置に旋回させることができる。ドリル工具１４０を開くことによって、掘りくずをドリル工具１４０から排出することが可能である。この掘りくずは、重力によって、斜めシュート３６を通じて直接、排出ステーション２０の外部の運搬手段５０に送出される。運搬手段５０は、輸送船であることが可能である。ドリル工具１４０のねじる動きと、ストッパ３７の助けと、シュート３６の引込み位置への移動とによって、図２の作業ステップ８に示すように、ドリル工具１４０を再度閉じることができる。続いて、ドリル工具１４０を再度ケーシングチューブ５内に降下させて、さらなる掘削ステップを実施することが可能である。
【００４４】
ボーリング孔を所望の最終的な深さまで形成した後、ドリル工具１４０を再度引き上げて、排出ステーション２０および掘削機器１００を含む掘削装置１０を、ケーシングチューブ５から取り外せる。その後、ケーシングチューブ５の空洞を鉄筋およびコンクリートで充填して、ドリル杭を形成することができる。その充填工程において、ケーシングチューブ５を抜き取って、必要な箇所で再利用することが可能である。あるいは、ケーシングチューブ５を地中に入れたままにして、ケーシング付きのドリル杭を形成することもできる。
【００４５】
図３に、第２の排出ステーション２０’を示す。これも、図１の排出ステーション２０に関連して説明したのと同様に、結合手段３４を備えたプラットフォーム３０を有する。さらに、プラットフォーム３０の上側には、掘削機器を固定するための円筒形受け部７０を備えたフレーム２６が設けられている。
【００４６】
図１の排出ステーション２０とは異なり、図３の排出ステーション２０’の円筒形受け部７０は、軸７２の周りを旋回可能な状態でフレーム２６に支持されている。スリーブ形受け部７０の旋回運動は、２つの側方の旋回シリンダ７４によって実施される。受け部７０にその旋回能力を設けることによって、斜めである可能性があるケーシングチューブに対して排出ステーション２０を整列させる目的の調整手段３１の旋回運動に、追加的な向上が図られている。
【００４７】
さらに、図１の排出ステーション２０とは異なり、改変された荷下ろし手段２５が設けられている。
【００４８】
図３による荷下ろし手段２５は、運搬キャリッジ２８を備える。運搬キャリッジ２８は、プラットフォーム３０上にレールで形成された通路２９に沿って、図示の荷下ろし位置と外側の送出位置との間を移動可能である。その移動のために運搬キャリッジ２８は、自身の下側に配置されたローラ３３を備える。さらに、運搬キャリッジ２８の収容部分は、調節シリンダ３５によって作動可能なシュート３６として設計されている。
【００４９】
図２で示したのと同様に、図４に、本発明による別の掘削方法を、図３の排出ステーション２０’を用いた８つの作業ステップによって示す。
【００５０】
図２による掘削方法と同じように、排出ステーション２０’をケーシングチューブ５に固定する。続いて、掘削機器１００を円筒形受け部７０に連結する。さらに、作業ステップ３に示すように、運搬キャリッジ２８を外側の引込み位置に移動する。
【００５１】
作業ステップ４からわかるとおり、旋回シリンダ７４を作動させることによって、垂直に配向されていた円筒形受け部７０を、角度をつけて配置してケーシングチューブ５の軸に整列させる。その後、作業ステップ５に示すように、掘削機器１００のドリル工具１４０を、数回の掘削ステップにて、ケリーロッド７の最大長Ｌに従って降下させることができる。
【００５２】
作業ステップ６では、各掘削ステップ後にドリル工具１４０が満たされた時点で、ドリル工具１４０を排出ステーション２０’内に戻す。そして、運搬キャリッジ２８を、ドリル工具１４０の下方の荷下ろし位置に移動し、それと同時またはそれに続いて、ドリル工具１４０を開いて、掘りくずをドリル工具１４０から運搬キャリッジ２８に降ろす。作業ステップ７では、運搬キャリッジ２８を排出ステーション２０’の外の送出位置に移動し、同時に、運搬キャリッジ２８に設けられた作動部材２２によって、ドリル工具１４０のヒンジ付き底部を閉じる。送出位置にて、運搬キャリッジ２８のシュート３６を傾けて、掘りくずをシュート３６から除去する。その後、作業ステップ８にて、ドリル工具１４０を用いてさらなる掘削ステップを実施できる。
【００５３】
好適な掘削機器１００を図５に示す。掘削機器１００は、横材１１７が下端部に設けられた支持フレーム１１０を備える。横材１１７の下側には、装着ブラケット１１１が配置されており、それを用いて、掘削機器１００を排出ステーション２０のスリーブ形受け部７０の上縁部に装着することができる。さらに、装着ブラケット１１１からずれた位置には、液圧作動式のコレットを備えた１つまたは複数の固定手段１１４が設けられている。これらのコレットによって、支持フレーム１１０を、回転方向に固定された状態で受け部７０に取り付けることができる。
【００５４】
さらに、支持フレーム１１０には、伸縮ロッド１３０を介してドリル工具１４０を回転駆動するためのドリル駆動部１１６が配置されている。
【００５５】
図示の実施形態では、支持フレーム１１０は二部構成であって、下側支持フレーム部分１１５と、その上方に位置する上側支持フレーム部分１１３とから成る。上側支持フレーム部分１１３は、液圧シリンダピストン１１２ａを備えた液圧シリンダ１１２によって、下側支持フレーム部分１１５に対して軸を調節可能である。上側支持フレーム部分１１３に、ドリル駆動部１１６が固定されて配置されている。
【００５６】
固定手段１１４を解除することによって、掘削機器１００を、受け部７０から上方に引き抜くことができ、続いて、さらなるボーリング孔を形成するために他の排出ステーションの受け部に装着することができる。
【符号の説明】
【００５７】
５  ケーシングチューブ、２０，２０’  排出ステーション、２２  作動部材、２５  荷下ろし手段、２８  運搬キャリッジ、２９  通路、３０  プラットフォーム、３１  調整手段、３４  結合手段、３６  シュート、３７  ストッパ、３８  旋回軸、７０  受け部、１００  掘削機器、１１０  支持フレーム、１１６  ドリル駆動部、１３０  伸縮ロッド、１４０  ドリル工具。
【図１】
0005265738.tif 000002
【図２】
0005265738.tif 000003
【図３】
0005265738.tif 000004
【図４】
0005265738.tif 000005
【図５】
0005265738.tif 000006